(57)【要約】【課題】斜め方向から観察する条件において、回折格子によるカラー画像を表示する構造体において、オンデマンドにカラー画像を印字することを目的とする。【解決手段】可視光領域に対して典型的に透明なマーキング層と、複数の画素を備える印字領域を具備したレリーフ構造形成層を積層したカラー画像印字媒体であって、前記印字領域に設けられた複数の画素が少なくとも３つのサブセルからなり、各サブセルから射出される各色が同等の色強度となるよう配設されていることを特徴とする。【選択図】図１
2018120010.tif 000002
【特許請求の範囲】
【請求項１】
可視光領域において典型的に透明で、且つレーザ印字可能なマーキング層と、前記マーキング層の少なくとも一部に、複数の画素を備えた印字領域を主面に具備したレリーフ構造形成層が、少なくとも積層されたカラー画像印字媒体であって、
前記印字領域に設けられた複数の画素はいずれも、少なくとも３つのサブセルを有し、
前記３つのサブセルは、レリーフ構造形成層の主面の法線と交差する斜め方向から観察する条件において、赤色を表示するように構成された第１サブセルと、当該条件において緑色を表示するように構成された第２サブセルと、当該条件において青色を表示するように構成された第３サブセルとからなり、当該観察条件において、３つの色が同等の色強度となるように配設され、
前記レリーフ構造形成層の主面の少なくとも一部で、且つ前記印字領域の少なくとも一部を覆うように、光反射層が設けられていることを特徴とするカラー画像印字媒体。
【請求項２】
前記光反射層が、金属薄膜からなることを特徴とする請求項１に記載のカラー画像印字媒体。
【請求項３】
前記マーキング層が、少なくともポリカーボネートを含むことを特徴とする請求項１または請求項２に記載のカラー画像印字媒体。
【請求項４】
請求項１から請求項３のいずれかに記載のカラー画像印字媒体を具備することを特徴とする物品。
【請求項５】
可視光領域において典型的に透明で、且つレーザ印字可能なマーキング層と、前記マーキング層の少なくとも一部に、複数の画素を備えた印字領域を主面に具備したレリーフ構造形成層が、少なくとも積層されたカラー画像印字媒体であって、
前記印字領域に設けられた複数の画素はいずれも、少なくとも３つのサブセルを有し、
前記３つのサブセルが、レリーフ構造形成層の主面の法線と交差する斜め方向から観察する条件において、赤色を表示するように構成された第１サブセルと、当該条件において緑色を表示するように構成された第２サブセルと、当該条件において青色を表示するように構成された第３サブセルとからなり、当該観察条件において、３つの色が同等の色強度となるように配設され、
前記レリーフ構造形成層の主面の少なくとも一部で、且つ前記印字領域の少なくとも一部を覆うように、光反射層が設けられたカラー画像印字媒体に対し、
印字すべきカラー画像に応じて、対応するサブセルから射出されるべき光の少なくとも一部を遮るように、マーキング層をレーザ光によって発色させる工程を有することを特徴とする印字方法。
【請求項６】
前記マーキング層の発色が、黒色であることを特徴とする請求項５に記載の印字方法。
【請求項７】
印字すべきカラー画像に応じて、対応するサブセルに設けられた前記光反射層の少なくとも一部をレーザ光によって除去し、光反射層除去部を形成する工程を有することを特徴とする請求項５または請求項６に記載の印字方法。
【請求項８】
前記光反射層除去部の位置と、前記マーキング層のレーザ光によって発色する位置とが同期していることを特徴とする請求項７に記載の印字方法。
【発明の詳細な説明】
【技術分野】
【０００１】
本発明は、偽造防止効果、装飾効果、または美的効果を提供する光学技術に基づく構造体に関し、更に詳しくは、オンデマンドに前記構造体からなる画像を形成するためのものである。
【背景技術】
【０００２】
有価証券、証明書、ブランド品、電子機器や各種機械類の専用消耗材ないし専用交換部品、更には個人認証媒体などの分野においては、偽造ないし変造などが困難であることが望まれている。そのため、このような分野では、偽造防止効果に優れた光学構造体などを設けることがある。
【０００３】
この様な光学構造体の多くは、回折格子、ホログラムや散乱構造またはレンズアレイなどの微細構造を含んでいる。これらの微細構造は、例えば観察角度の変化に応じて、色や視覚画像の変化を生じるという効果がある。
【０００４】
また、これらの微細構造は解析することが難しく、製造するためには電子線描画装置などの高価な設備を必要とするといった理由から偽造も困難である。それゆえ、これらの光学構造体は優れた偽造防止効果を発揮しうるものである。
【０００５】
この様な構造体に関する技術として、例えば特許文献１では、画素をＲＧＢチャネルとして３分割し、そのチャネル内部の面積階調により写真画質のカラー画像を回折構造体で表現する技術が提案されている。
【０００６】
また、特許文献２ではＲＧＢの各画素を長いスリット状に設けることにより、フルカラーのパターンを表示することが可能な計算機ホログラムなども提案されている。
【先行技術文献】
【特許文献】
【０００７】
【特許文献１】特開平８−２１１８２１号公報
【特許文献２】特開２００１−３３１０８５号公報
【発明の概要】
【発明が解決しようとする課題】
【０００８】
しかし、これら構造体はいずれも原版作製時に、求める画像を形成しておく必要があり、同様の効果を有するレリーフ構造体をオンデマンドに形成することは困難であった。
【０００９】
そこで、本発明の主眼は、カラーホログラムの特徴的な光学効果を維持しつつ、任意の画像をオンデマンドに形成することを目的としている。
【課題を解決するための手段】
【００１０】
上記課題を解決するための請求項１に係る本発明は、可視光領域において典型的に透明で、且つレーザ印字可能なマーキング層と、前記マーキング層の少なくとも一部に、複数の画素を備えた印字領域を主面に具備したレリーフ構造形成層が、少なくとも積層されたカラー画像印字媒体であって、前記印字領域に設けられた複数の画素はいずれも、少なくとも３つのサブセルを有し、前記３つのサブセルは、レリーフ構造形成層の主面の法線と交差する斜め方向から観察する条件において、赤色を表示するように構成された第１サブセルと、当該条件において緑色を表示するように構成された第２サブセルと、当該条件に
おいて青色を表示するように構成された第３サブセルとからなり、当該観察条件において、３つの色が同等の色強度となるように配設され、前記レリーフ構造形成層の主面の少なくとも一部で、且つ前記印字領域の少なくとも一部を覆うように、光反射層が設けられていることを特徴とするカラー画像印字媒体である。
【００１１】
上記課題を解決するための請求項２に係わる発明は、前記光反射層が、金属薄膜からなることを特徴とする請求項１に記載のカラー画像印字媒体である。
【００１２】
上記課題を解決するための請求項３に係わる発明は、前記マーキング層が、少なくともポリカーボネートを含むことを特徴とする請求項１または請求項２に記載のカラー画像印字媒体である。
【００１３】
上記課題を解決するための請求項４に係わる発明は、請求項１から請求項３のいずれかに記載のカラー画像印字媒体を具備することを特徴とする物品である。
【００１４】
上記課題を解決するための請求項５に係わる発明は、可視光領域において典型的に透明で、且つレーザ印字可能なマーキング層と、前記マーキング層の少なくとも一部に、複数の画素を備えた印字領域を主面に具備したレリーフ構造形成層が、少なくとも積層されたカラー画像印字媒体であって、前記印字領域に設けられた複数の画素はいずれも、少なくとも３つのサブセルを有し、前記３つのサブセルが、レリーフ構造形成層の主面の法線と交差する斜め方向から観察する条件において、赤色を表示するように構成された第１サブセルと、当該条件において緑色を表示するように構成された第２サブセルと、当該条件において青色を表示するように構成された第３サブセルとからなり、当該観察条件において、３つの色が同等の色強度となるように配設され、前記レリーフ構造形成層の主面の少なくとも一部で、且つ前記印字領域の少なくとも一部を覆うように、光反射層が設けられたカラー画像印字媒体に対し、印字すべきカラー画像に応じて、対応するサブセルから射出されるべき光の少なくとも一部を遮るように、マーキング層をレーザ光によって発色させる工程を有することを特徴とする印字方法である。
【００１５】
上記課題を解決するための請求項６に係わる発明は、前記マーキング層の発色が、黒色であることを特徴とする請求項５に記載の印字方法である。
【００１６】
上記課題を解決するための請求項７に係わる発明は、印字すべきカラー画像に応じて、対応するサブセルに設けられた前記光反射層の少なくとも一部をレーザ光によって除去し、光反射層除去部を形成する工程を有することを特徴とする請求項５または請求項６に記載の印字方法である。
【００１７】
上記課題を解決するための請求項８に係る発明は、前記光反射層除去部の位置と、前記マーキング層のレーザ光によって発色する位置とが同期していることを特徴とする請求項７に記載の印字方法である。
【発明の効果】
【００１８】
本発明の態様によれば、偽造防止効果の高いレリーフ構造体からなる任意のカラー画像をオンデマンドに形成することが可能となる。
【図面の簡単な説明】
【００１９】
【図１】本発明の実施形態に係るカラー画像印字媒体の一例を示す平面図である。
【図２】図１におけるＡ−Ａ切断面の構成の一例を示す断面図である。
【図３】本発明の印字領域における画素の配置の一例を示す平面図である。
【図４】本発明の画素の構造の一例を示す平面図である。
【図５】本発明の印字方法の一例を示す概念図である。
【図６】本発明の図４による印字例を示す画素の平面図である。
【図７】本発明の印字方法の別の一例を示す概念図である。
【図８】本発明の図６による印字例を示す画素の平面図である。
【図９】本発明のカラー画像印字媒体を具備する物品の一例を示す断面図である。
【発明を実施するための形態】
【００２０】
以下、本発明の実施形態について図面を参照しつつ説明する。なお、各図において、同様または類似した機能を発揮する構成要素には同一の参照符号を付し、重複する説明は省略する。
【００２１】
また、各図面は本発明の実施形態の１例を示すもので、これらに限定されるものではない。
【００２２】
（カラー画像印字媒体）
図１は、本発明の実施形態に係るカラー画像印字媒体の一例を示す平面図である。
【００２３】
図１では、マーキング層１０上に、レリーフ構造体２０が設けられており、レリーフ構造体２０は、その一部に光反射層２３が設けられており、さらにその一部が印字領域２１となっている。
【００２４】
ここで、光反射層２３は、必ずしも一つの領域をパターン状に占めているとは限らず、複数の領域に分割されて設けられてあっても良く、ストライプ状やドット状に設けられる部分を含んでいても何ら問題無い。また、レリーフ構造体２０の全面に設けられてあっても良い。
【００２５】
印字領域２１は、少なくとも一部が、光反射層２３に覆われていることが必要であり、レリーフ構造体２０の全面が、印字領域２１として形成されてあっても何ら問題ない。
【００２６】
図２は、図１のカラー画像印字媒体１のＡ−Ａ切断面における層構造の例を示す断面図である。
【００２７】
図２では、レリーフ構造体２０を転写箔構成としたものを例示しており、マーキング層１０に対して、接着層２５を介して積層させた構造となっている。
【００２８】
レリーフ構造体２０は、必ずしも転写箔の構成である必要はなく、別の支持体上に形成されたレリーフ構造形成層２２とマーキング層１０とを、前記支持体を保持したまま積層する構成（図示せず）や、マーキング層１０に対して、直接レリーフ構造形成層２２を設け、その主面に凹凸構造が設けられる構成（図示せず）などであってもなんら問題ない。
【００２９】
以下、図２の各構成について、説明する。
【００３０】
マーキング層１０は、可視光領域において典型的に透明な樹脂からなる層であり、レーザ光によって発色させることのできるものであれば、従来公知の材料をいずれも用いることができ、例えば主剤となる樹脂としては、ポリオレフィン樹脂、ポリエステル樹脂、ポリ（メタ）アクリル樹脂、ポリカーボネート樹脂、ポリ塩化ビニル系脂、ポリスチレン樹脂、アクリロニトリル−ブタジエン−スチレン共重合樹脂（ＡＢＳ樹脂）、ポリスルホン樹脂、ウレタン樹脂、エポキシ樹脂、ジアリルフタレート樹脂、メラミン樹脂などを単独あるいは複合物として用いることができる。より好ましくは、少なくともポリカーボネート樹脂を含むものであることが望ましい。
【００３１】
これらの樹脂には、透明性を損なわない程度に、発色剤、染料や顔料などの色素、安定剤や紫外線吸収剤などの各種添加剤が加えられてあっても良い。
【００３２】
発色剤としは、従来公知の材料をいずれも用いることができるが、黒色に発色することが望ましく、例えば、レーザ光線を吸収して光熱変換による発熱によって有色となる金属酸化物などを例示することができる。具体的には、良好なコントラストを示す黒色系の酸化物を形成する金属として、銅、鉄、銀、白金、ニッケル、マンガン、チタン、鉛、錫、クロム、コバルト、タリウム、バナジウム、ニオブ、タンタル、タングステン、モリブデン、ルテニウム、ロジウム、レニウム、オスミウム、イリジウム、ビスマス、パラジウムなどの金属からなる酸化物を単独あるいは、混合物や複合物として用いることができる。
【００３３】
色素としては、レーザ光を吸収する材料であることが好ましく、レーザ光を吸収することにより、周辺の樹脂を炭化することもできる。
【００３４】
このような色素としては、例えば、カーボンブラックなどを始め、シアニン系色素、ポリメチン系色素、アントラキノン系色素、フタロシアニン系色素、ナフタロシアニン系色素などを例示することができる。
【００３５】
上述のようなマーキング層に対し、印字を行うレーザとしては、例えばＹＡＧレーザ、ＹＶＯ４レーザ、炭酸ガスレーザなどを例示することができる。
【００３６】
レリーフ構造体２０を転写箔の構成とする場合には、例えば、ポリエチレンテレフタレート、ポリエチレンナフタレート、ポリイミド、ポリカーボネート、ポリビニルアルコール、ポリオレフィン、トリアセチルセルロース、ポリ塩化ビニル、紙類などから任意に選定された基材上に、剥離層２４を塗布し、レリーフ構造形成層２２を塗布した後、後述する画素パターンを有するエンボス版を熱圧着することにより、レリーフ構造形成層２２の主面に凹凸構造を形成し、その後、光反射層２３を設け、接着剤層２５を塗布することにより、形成することができる。
【００３７】
ここで、剥離層２４は、必ずしも設けられる必要はないが、前記基材からレリーフ構造形成層２２を剥離しやすくするために設けるもので、転写箔などに用いられる従来公知の剥離層材料であれば、いずれも用いることができ、具体的には、例えばポリ（メタ）アクリル樹脂、ポリエステル樹脂、ポリ塩化ビニル樹脂、エポキシ樹脂、メラミン樹脂、フェノール樹脂、ノルボルネン樹脂、トリアセチルセルロース樹脂などの各種樹脂類や、天然または各種合成ワックス類などを単独あるいは混合物、共重合物、複合物として用いることが出来る。
【００３８】
レリーフ構造形成層２２は、熱可塑性樹脂や熱硬化性樹脂、放射線硬化樹脂などの各種樹脂を用いることができる。
【００３９】
熱可塑性樹脂を用いる場合には、例えば、アクリル系樹脂、エポキシ系樹脂、セルロース系樹脂、ビニル系樹脂などや、これらの混合物、またはこれらの共重合体などを使用することができる。
【００４０】
また、熱硬化性樹脂を用いる場合には、例えば、アクリル系ポリオール樹脂やポリエステル系ポリオール樹脂などのポリオール系樹脂とイソシアネート化合物との架橋反応によって形成されるウレタン系樹脂、メラミン系樹脂、エポキシ系樹脂、フェノール系樹脂などや、これらの混合物、またはこれらの共重合物を使用することができる。
【００４１】
また、放射線硬化樹脂を用いる場合には、放射線硬化樹脂は、典型的には、重合性化合物と開始剤とを含んでいる。
【００４２】
重合性化合物としては、例えば、光ラジカル重合が可能な化合物を使用する。具体的には、エチレン性不飽和結合またはエチレン性不飽和基を有したモノマー、オリゴマーまたはポリマーを使用することができる。あるいは光ラジカル重合が可能な化合物として、１，６−ヘキサンジオール、ネオペンチルグリコールジアクリレート、トリメチロールプロパントリアクリレート、ペンタエリスリトールアクリレート、ペンタエリスリトールテトラアクリレート、ペンタエイスリトールペンタアクリレートおよびジペンタエリスリトールヘキサアクリレート等のモノマー、エポキシアクリレート、ウレタンアクリレートおよびポリエステルアクリレート等のオリゴマー、またはウレタン変性アクリル樹脂およびエポキシ変性アクリル樹脂等のポリマーなどを使用してもよい。
【００４３】
重合性化合物として光ラジカル重合が可能な化合物を使用する場合、開始剤としては、光ラジカル重合開始剤を使用することができる。
【００４４】
この光ラジカル重合開始剤としては、例えば、ベンゾイン、ベンゾインメチルエーテルおよびベンゾインエチルエーテル等のベンゾイン系化合物、アントラキノンおよびメチルアントラキノン等のアントラキノン系化合物、アセトフェノン、ジエトキシアセトフェノン、ベンゾフェノン、ヒドロキシアセトフェノン、１−ヒドロキシシクロヘキシルフェニルケトン、α−アミノアセトフェノンおよび２−メチル−１−（４−メチルチオフェニル）−２−モリホリノプロパン−１−オン等のフェニルケトン系化合物、ベンジルジメチルケタール、チオキサントン、アシルホスフィンオキサイド、または、ミヒラーズケトンなどを使用することができる。
【００４５】
あるいは、重合性化合物として、光カチオン重合が可能な化合物を使用してもよい。光カチオン重合が可能な化合物としては、例えば、エポキシ基を備えたモノマー、オリゴマーもしくはポリマー、キセタン骨格含有化合物、または、ビニルエーテル類を使用する。
【００４６】
重合性化合物として光カチオン重合が可能な化合物を使用する場合、開始剤としては、光カチオン重合開始剤を使用する。この光カチオン重合開始剤としては、例えば、芳香族ジアゾニウム塩、芳香族ヨードニウム塩、芳香族スルホニウム塩、芳香族ホスホニウム塩または混合配位子金属塩を使用する。
【００４７】
あるいは、重合性化合物として、光ラジカル重合が可能な化合物と光カチオン重合が可能な化合物との混合物を使用してもよい。
【００４８】
この場合、開始剤としては、例えば、光ラジカル重合開始剤と光カチオン重合開始剤との混合物を使用する。あるいは、この場合、光ラジカル重合および光カチオン重合の双方の開始剤として機能しうる重合開始剤を使用してもよい。
【００４９】
このような開始剤としては、例えば、芳香族ヨードニウム塩または芳香族スルホニウム塩を使用する。
【００５０】
また、重合開始剤を使用しない例として、電子線照射により重合性化合物の重合反応を引き起こす方法を用いてもよい。
【００５１】
前記放射線硬化樹脂は、増感色素、染料、顔料、重合禁止剤、レベリング剤、消泡剤、タレ止め剤、付着向上剤、塗面改質剤、可塑剤、含窒素化合物、エポキシ樹脂等の添加剤、離型剤またはこれらの組合せを更に含んでいてもよい。
【００５２】
また、放射線硬化樹脂には、その成形性を向上させるべく、非反応性の樹脂を更に含有させてもよい。この非反応性の樹脂としては、例えば、前記熱可塑性樹脂や熱硬化性樹脂などを単独または混合物として用いることができる。
【００５３】
光反射層２３は、典型的には金属からなる材料を堆積させた、金属薄膜層からなる。
【００５４】
金属からなる材料を堆積させる方法としては、レリーフ構造形成層２２の表面形状に対応するように前記材料を堆積させることが可能な公知の塗布法または気相堆積法を用いることができる。
【００５５】
塗布法としては、例えばスプレー塗布法などを挙げることができる。気相堆積法としては、例えば、真空蒸着法、スパッタリング法、化学蒸着法（ＣＶＤ法）などを挙げることができる。中でも、真空蒸着法やスパッタリング法などが好適に用いられる。
【００５６】
この様にして形成される金属薄膜の材料としては、例えば、Ａｌ、Ｓｎ、Ｃｒ、Ｎｉ、Ｃｕ、Ａｕ、Ａｇなどの金属類ならびにこれらの合金からなる群より選択される金属材料などを挙げることができる。
【００５７】
また、上述のような金属薄膜からなる光反射層２３は、必ずしも、レリーフ構造形成層２２の全面を覆っている必要はない。必要に応じて任意の形状に設けられてあっても、なんら問題は無い。
【００５８】
金属薄膜層からなる光反射層２３を任意の形状とする方法は、従来公知の手法を何れも用いることができる。その様な例として、レリーフ構造形成層２２の全面に設けられた光反射層２３上に、マスク印刷層をパターン状に設け、アルカリ性エッチング液などによって、マスク印刷層が設けられていない領域の金属薄膜をエッチングする方法などを例示することができる。
【００５９】
接着層２５は、感熱接着剤や感圧接着剤など従来公知の接着剤を任意に用いることができる。
【００６０】
接着層２５に用いる材料としては、例えば、アクリル系樹脂、ポリエステル系樹脂、ポリ塩化ビニル樹脂、塩化ビニル−酢酸ビニル共重合体、ポリオレフィン樹脂、塩素化ポリオレフィン樹脂、ポリアミド系樹脂、ウレタン樹脂、エチレン−アクリル共重合体、スチレン−ブタジエン共重合体、アクリロニトリル−ブタジエン共重合体などの各種樹脂類やゴム類などを単独あるいは混合物などとして用いることができる。
【００６１】
また、接着層２５には、例えば、酸化チタン、炭酸カルシウム、シリカ、タルク、珪藻土などの体質顔料や各種ワックス類などが添加されてあっても良い。
【００６２】
ここで、レリーフ構造体２０に設けられる印字領域２１には、図３に示すように複数の画素ＰＥが形成されている。
【００６３】
図３に示す例では、これらの画素ＰＥは、Ｘ軸およびＹ軸に沿って矩形格子状に配列しているが、必ずしもこのような構造ならびに配列に限定されるものではない。
【００６４】
図４は、図３に示すような印字領域２１に設けられている画素ＰＥの一例を示す平面図である。図４に示すとおり、画素ＰＥは第１サブセルＳＣ１、第２サブセルＳＣ２、第３サブセルＳＣ３の３つのサブセルを少なくとも備えている。
【００６５】
各サブセルは、レリーフ構造形成層２２の主面の法線と交差する斜め方向からから観察する条件（以下、単に斜め方向から観察する条件と表記）において、それぞれ第１サブセルＳＣ１は、赤色を表示するサブセルであり、第２サブセルＳＣ２は、緑色を表示するサブセルであり、第３サブセルＳＣ３は、青色を示用するサブセルであり、各サブセルが表示する各色は、互いに同等の色強度となるように配設されている。
【００６６】
これにより、単に斜め方向から観察する条件において、観察者は、各画素ＰＥを概ね白色の光を射出するものとして認識することができる。
【００６７】
また、各サブセルの配置は、図４の配置に限定されるものではない。更に各サブセルの画素ＰＥ内に占める面積比率は、典型的には各々の面積を等しいとすることができるが、必ずしも、これに限るものではない。
【００６８】
先に述べたように、第１サブセルＳＣ１は、赤色を表示するように構成されている。即ち、第１サブセルＳＣ１は、斜め方向から観察する条件において、赤色に対応した波長の回折光を射出するように構成された複数の凹部または凸部を備えている。
【００６９】
この様な複数の凹部または凸部の中心間距離は、例えば、８６０ｎｍ〜８８０ｎｍの範囲内とすることができる。
【００７０】
また、第２サブセルＳＣ２は、斜め方向から観察する条件において、緑色を表示するように構成されており、緑色に対応した回折光を射出するように構成された複数の凹部または凸部を備えている。
【００７１】
緑色に対応した回折光を射出するための複数の凹部または凸部の中心間距離は、例えば、７５５ｎｍ〜７７５ｎｍの範囲内とすることができる。
【００７２】
また、第３サブセルＳＣ３は、斜め方向から観察する条件において、青色を表示するように構成されており、青色に対応した回折光を射出するように構成された複数の凹部または凸部を備えている。
【００７３】
青色に対応した回折光を射出するための複数の凹部または凸部の中心間距離は、例えば、７３５ｎｍ〜７５５ｎｍの範囲内とすることができる。
【００７４】
（第一の印字方法）
上述のように構成されたカラー画像印字媒体１に対して、カラー画像を印字する第一の印字方法を図５に示した。
【００７５】
図５に示す第一の印字方法では、カラー画像印字媒体１のマーキング層１０側から、レーザ光３１を照射している。
【００７６】
この時、レーザ光３１は、印字領域２１内に設けられた各画素ＰＥ中の各サブセル部に対して、印字すべき所望の画像情報に応じて、照射光量あるいは照射面積を制御しながら照射される。
【００７７】
即ち、レーザ光３１が照射される前の各画素ＰＥは、斜め方向から観察する条件において、観察者にとっては、白色光として認識されるのに対し、特定のある画素ＰＥを、例えば、赤色に表示したいとする場合には、対象となる画素ＰＥ中の第１サブセルＳＣ１を残し、第２サブセルＳＣ２と第３サブセルＳＣ３の全面をなぞるようにレーザ光３１の照射
が実施される。
【００７８】
これにより、第２サブセルＳＣ２と第３サブセルＳＣ３に対応する位置のマーキング層１０が発色し、マーキング部１１が形成される。
【００７９】
従って、観察者が、マーキング層１０側からカラー画像印字媒体１を斜め方向から観察する条件で観察した際に、第１サブセルＳＣ１から射出される赤色は認識されるが、第２サブセルＳＣ２から射出されるべき緑色および第３サブセルＳＣ３から射出されるべき青色は、マーキング部１１によって遮蔽され、結果的に、対象となる画素ＰＥは、赤色として認識される。
【００８０】
同様にして、印字すべき所望の画像情報に応じて、各画素ＰＥ内の各サブセルに対し、レーザ光３１を照射することにより、斜め方向から観察する条件において、画素ＰＥ毎に、所望の色を射出させることが可能となる。
【００８１】
即ち、各画素ＰＥは、必ずしも赤色、緑色、青色、または白色の４色のいずれかのみを射出するものではなく、照射するレーザ光３１の照射条件に応じて、図６の画素ＰＥに示すように、サブセル毎にマーキング部２１の面積または濃度を変化させることにより、各サブセルから射出される光の量を制御することができるため、第１サブセル、第２サブセル、第３サブセルから結果的に射出された光の加色混合により画素ＰＥ単位毎の色を制御することが可能となる。
【００８２】
特に、カラー画像を得るためのサブセル毎に形成されるマーキング部２１は、面積階調データに基づく印字画像として形成されることが望ましい。
【００８３】
また、マーキング層１０の発色時の色を黒色とすることにより、各サブセルからの射出光を遮蔽する能力が高まると共に、各画素ＰＥから射出される各色の光を高いコントラストで認識することが可能となる。
【００８４】
（第二の印字方法）
図７に示す第二の印字方法では、カラー画像印字媒体１のレリーフ構造体２０側からレーザ光源３０によって、レーザ光３１が照射されている。
【００８５】
レーザ光３１は、レリーフ構造体２０側から照射され、印字されるべき所望の画像情報に基づき、対象となる各画素ＰＥ中に設けられた各サブセル部分に設けられている光反射層２３を除去し、光反射層除去部２６を形成する。
【００８６】
また、レーザ光３１の照射により、形成された光反射層除去部２６の位置に同期して、マーキング層１０にマーキング部１１を形成する。
【００８７】
これにより、例えば、ある特定の画素ＰＥを青色に表示させたい場合には、対象となる画素ＰＥ中の第３サブセルＳＣ３はそのままとし、第１サブセルＳＣ１に設けられている光反射層２３と、第２サブセルＳＣ２に設けられている光反射層２３とを除去し、それぞれ光反射層除去部２６を形成することにより、光反射層除去部２６が形成されたサブセルからの光の射出がなくなり、残された第３サブセルＳＣ３から射出される青色のみを視認することが可能となる。
【００８８】
各サブセルに形成される光反射層除去部２６とマーキング部１１は、面積階調による印字画像として形成されることが望ましい。
【００８９】
また、同時に光反射層除去部２６に対応する位置のマーキング層１０を黒色に発色させることにより、コントラストを高めることができる。
【００９０】
図８は、この様にして印字された画素ＰＥの例を示す平面図である。画素ＰＥ中の第１サブセルＳＣ１と、第２サブセルＳＣ２には、面積階調データに基づき、光反射層除去部２６、およびこれに同期してマーキング部１１が形成されている例を示している。
【００９１】
また、この様な第二の印字方法を用いることにより、カラー画像印字媒体１を表裏いずれの面から観察した場合であっても、同様のカラー画像を視認することが可能となる。
【００９２】
図９は、カラー画像印字媒体１を具備する物品の一例を示す断面図である。
【００９３】
図９においては、コアシート４１の片面に、レリーフ構造体２０をコアシートとは反対側の面に設けたマーキング層１０を設け、コアシート４１の反対側の面にはレリーフ構造体２０を有しないマーキング層１０を設け、両面の最外層としてオーバーシートを設けた例が示されている。
【００９４】
図９では、物品として、カードを作製する構成の例を示しているが、必ずしもこの構成に限定するものではない。
【００９５】
また、物品についてもカードには限定されず、各種セキュリティラベルや、パスポートなどの冊子類や、証書類などの紙基材に漉き込むスレッド類など、任意の形態として用いることができる。
【実施例】
【００９６】
（実施例１）
まず、斜め方向から観察する条件において、赤色、緑色、青色を表示する各サブセルからなる画素を階調なく、全面に敷き詰めた白色を表現する回折格子データを設計し、電子線レジスト上に、設計した回折格子データに基づいて、電子線を用いて描画した。
【００９７】
この電子線レジストを現像し、所望の凹部または凸部を形成した。その後、スパッタリング法により、ニッケル導電膜を形成した後、ニッケル電鋳により金型を作製した。
【００９８】
次に、厚さ１９μｍのポリエチレンテレフタレート（ＰＥＴ）基材上にグラビアコーティング法を用いて、１μｍ厚のアクリル樹脂からなる剥離層２４、ならびにレリーフ構造形成層２２となるＵＶ硬化型樹脂を１μｍ厚で塗布し、成形用原反を得た。
【００９９】
先に作製したニッケル原版から複製版を作成して、ニッケル実用版とし、上記成形用原反に対し、１００℃の熱と１ＭＰａの圧力を加えながらニッケル実用版によるエンボス加工を施し、ＵＶ光を照射することによって、エンボス原反すなわちレリーフ構造形成層１１を有する原反を得た。
【０１００】
次いで、このエンボス原反に対し、アルミニウムを蒸着させ、５０ｎｍの光反射層２３を得た。
【０１０１】
その後、アクリル系樹脂からなる接着剤を、グラビアコーティング法でアルミニウムの蒸着面に２μｍの厚さで塗布した。以上のようにして、転写箔構成のレリーフ構造体２０を得た。
【０１０２】
このようにして得られた転写箔構成のレリーフ構造体２０を用いて、被転写体への転写
を行った。この被転写体としては、厚さ２００μｍの白色ポリカーボネートシートを用いた。また、転写は、１２０℃の刻印を１０ＭＰａの圧力で押し付けることによって白色ポリカーボネートシートに接着後、基材を剥離してレリーフ構造体２０を具備した白色ポリカーボネートシートからなる支持体を得た。
【０１０３】
次に、下から厚さ２００μｍの透明ポリカーボネートシート、厚さ２００μｍの白色ポリカーボネートシート、前記レリーフ構造体２０を具備した白色ポリカーボネートシートを、レリーフ構造体２０に上面に向けて配置し、マーキング層１０となる厚さ１００μｍのレーザ発色ポリカーボネートシート、厚さ１００μｍの透明ポリカーボネートシートをこの順に積層し、１９５℃、１ＭＰａの条件でラミネートした。
【０１０４】
前記ラミネートされたシートをカード型に打ち抜き、カードを得た。
【０１０５】
（実施例２）
実施例１と同様の方法で、転写箔構成のレリーフ構造体２０を作製し、マーキング層１０となる厚さ１００μｍのレーザ発色ポリカーボネートシートに転写した。転写は、１２０℃の刻印を１０ＭＰａの圧力で押し付けることによって、マーキング層１０であるレーザ発色ポリカーボネートシートに接着後、基材を剥離してレリーフ構造体２０を具備したマーキング層１０（レーザ発色ポリカーボネートシート）を得た。
【０１０６】
次に、下から厚さ６００μｍの透明ポリカーボネートシート、前記レリーフ構造体２０を具備したマーキング層１０（レーザ発色ポリカーボネートシート）を、レリーフ構造体２０を上面に向けて配置し、厚さ１００μｍの透明ポリカーボネートシートをこの順に積層し、１９５℃、１ＭＰａの条件でラミネートした。
【０１０７】
前記ラミネートされたシートをカード型に打ち抜き、カードを得た。
【０１０８】
（印字評価）
前記カード状サンプルの上面側、即ち厚さ１００μｍの透明ポリカーボネートシートが積層させている側からレーザ光を照射し、各画素ＰＥ中の各サブセルに対し、面積階調による画像の印字を実施した。
【０１０９】
（評価結果）
実施例１、実施例２のいずれも、回折格子からなる良好なフルカラーの画像を得ることができた。また、実施例２においては、カードの表裏どちらからでもフルカラーの画像を視認することができた。
【０１１０】
上述のように、本発明のカラー画像印字媒体を用いることにより、回折格子からなるカラー画像をオンデマンドに形成することが可能となり、また実施例１および実施例２に示す様にカード構成の内層においても、フルカラー画像をオンデマンドに形成することも可能となる。これにより、印字されたカラー画像を改ざんすることも極めて困難なものとすることができる。
【０１１１】
この様に、顔写真などのカラー画像情報（個人認証情報）なども、回折格子を用いたカラー画像として、オンデマンドに印字することが可能となり、極めて偽造防止効果の高い物品を提供することができる。
【符号の説明】
【０１１２】
１      ：  カラー画像印字媒体
１０    ：  マーキング層
１１    ：  マーキング部
２０    ：  レリーフ構造体
２１    ：  印字領域
２２    ：  レリーフ構造形成層
２３    ：  光反射層
２４    ：  剥離層
２５    ：  接着層
２６    ：  光反射層除去部
３０    ：  レーザ光源
３１    ：  レーザ光
４０    ：  カード
４１    ：  コアシート
４２    ：  オーバーシート
ＰＥ    ：  画素
ＳＣ１  ：  第１サブセル（赤）
ＳＣ２  ：  第２サブセル（緑）
ＳＣ３  ：  第３サブセル（青）
【図１】
2018120010.tif 000003
【図２】
2018120010.tif 000004
【図３】
2018120010.tif 000005
【図４】
2018120010.tif 000006
【図５】
2018120010.tif 000007
【図６】
2018120010.tif 000008
【図７】
2018120010.tif 000009
【図８】
2018120010.tif 000010
【図９】
2018120010.tif 000011